(57)【要約】【課題】幼児や、肢体が不自由な者、高齢者などであっても（介助者なしに）一人で容易に装着することのできる履物の緊締構造を提供する。【解決手段】ベルト２と、第１側部１１とに結合された引付具３を有し、ベルト２が第２側部１２に固定された固定端部２２とは反対側の自由端部２１に引付具３の第１端部が固定され、自由端部２１よりも固定端部２２に近い第１開口２３において開口する貫通孔５０を通って、該第１開口２３の部位において引付具３が折り返され、引付具３の第２端部において該引付具３が第１側部１１に固定され、ベルト２の自由端部２１と引付具３との間に指を挿入して引付具３を引張ることで、ベルト２を介して第２側部１２が第１側部側１１に引き付けられると共に、引付具３を介して第１側部１１が第２側部１２側に引き付けられることを特徴とする。【選択図】図８
2008295489.tif 000002
【特許請求の範囲】
【請求項１】
足の甲の第１側面を覆い表面に第１止具を持つ第１側部と、
足の甲の第２側面を覆う第２側部と、
前記第２側部に固定され、裏面に前記第１止具に止められる第２止具を有し、前記２つの側部を足の甲にフィットさせるためのベルトとを備えた履物の緊締構造において、
前記ベルトと前記第１側部とに結合された帯状および／または紐状の引付具を有し、
前記ベルトにおける前記第２側部に固定された固定端部とは反対側の自由端部に前記引付具の第１端部が固定され、
前記ベルトにおける前記自由端部よりも前記固定端部に近い第１開口において開口する貫通孔を通って、かつ、該第１開口の部位において前記引付具が折り返され、前記引付具の第２端部において該引付具が前記第１側部に固定され、
前記ベルトの自由端部と前記引付具との間に指を挿入して前記引付具を前記第１側部側に引張ることで、前記ベルトを介して前記第２側部が前記第１側部側に引き付けられると共に、前記引付具を介して前記第１側部が前記第２側部側に引き付けられることを特徴とする履物の緊締構造。
【請求項２】
請求項１において、前記引付具は、前記ベルトよりも伸縮性が大きい素材で形成されている履物の緊締構造。
【請求項３】
請求項１において、前記ベルトは表面を形成する表部材と裏面を形成する裏部材とを更に備え、前記表部材が前記引付具における前記第１端部と前記第２端部との間の中間部の一部を覆っている履物の緊締構造。
【請求項４】
請求項３において、前記表部材と裏部材とが互いに縫合されて前記表部材と裏部材との間で前記貫通孔が形成され、
前記引付具は前記第２端部から前記第１開口、前記貫通孔、第２開口を通って前記第１端部に至るように配置されている履物の緊締構造。
【請求項５】
請求項１ないし４のいずれか１項において、前記ベルトの自由端部と前記引付具との間に指を挿入するための指かけ孔が形成され易いように、前記引付具が前記自由端部から半月状に浮いた状態を形成する孔形成手段を更に備えた履物の緊締構造。
【発明の詳細な説明】
【技術分野】
【０００１】
本発明は、履物の緊締構造に関する。
【背景技術】
【０００２】
従来より、足の甲の側面をそれぞれ覆う側部を有する履物に関して、一方の側部にベルトを設け、当該ベルトを他方の側部に面ファスナ等を用いて締結させることで、履物を足にフィットさせる構造が提案されている（特許文献１〜４参照）。
【特許文献１】実開平５−６０３０４号（要約書）
【特許文献２】実開昭６３−９５８０８号（第２図）
【特許文献３】実用新案登録第３０６２５２７号（要約書）
【特許文献４】特開２００６−２１２１３４（要約書）
【０００３】
前記特許文献１〜４によれば、前記両側部を前記ベルトを用いて足にフィットさせるので、履物の脱着が容易となる。
【発明の開示】
【０００４】
ここで、前記履物を装着するには、一方の手の指でベルトの端部を摘まみ、かつ、ベルトを引き、別の手で他方の側部を押さえ込みながら該ベルトを他方の側部に固定する必要がある。
しかし、この動作は、幼児や、肢体が不自由な者、高齢者などにとって負担を伴い、一人で履物の装着を行うことが困難な場合がある。
【０００５】
したがって、本発明の目的は、幼児や、肢体が不自由な者、高齢者などであっても、（介助者なしに）一人で容易に装着することのできる履物の緊締構造を提供することである。
【０００６】
前記目的を達成するために、本発明の履物の緊締構造は、足の甲の第１側面を覆い表面に第１止具を持つ第１側部と、足の甲の第２側面を覆う第２側部と、前記第２側部に固定され、裏面に前記第１止具に止められる第２止具を有し、前記２つの側部を足の甲にフィットさせるためのベルトとを備えた履物の緊締構造において、前記ベルトと前記第１側部とに結合された帯状および／または紐状の引付具を有し、前記ベルトにおける前記第２側部に固定された固定端部とは反対側の自由端部に前記引付具の第１端部が固定され、前記ベルトにおける前記自由端部よりも前記固定端部に近い第１開口において開口する貫通孔を通って、かつ、該第１開口の部位において前記引付具が折り返され、前記引付具の第２端部において該引付具が前記第１側部に固定され、前記ベルトの自由端部と前記引付具との間に指を挿入して前記引付具を前記第１側部側に引張ることで、前記ベルトを介して前記第２側部が前記第１側部側に引き付けられると共に、前記引付具を介して前記第１側部が前記第２側部側に引き付けられることを特徴とする。
【０００７】
本発明によれば、前記ベルトの自由端部と前記引付具との間に指を挿入して前記引付具を前記第１側部側に引張ることで、前記ベルトを介して前記第２側部が前記第１側部側に引き付けられると共に、前記引付具を介して前記第１側部が前記第２側部側に引き付けられる。そのため、片手で前記履物を足に十分フィットさせるように装着することができるので、幼児や、肢体が不自由な者、高齢者などであっても、介助者なしに一人で容易に当該履物を足に装着することができる。
特に、ベルトの端を指で摘む必要がなく、ベルトの自由端部と引付具との間に指を挿入して引っ張るだけで、前記両側面を均等に足の甲にフィットさせることができるので至便である。
【０００８】
本発明において、前記引付具は、前記ベルトよりも伸縮性の大きい素材、つまり、容易に伸び、かつ、元の状態に縮む素材で形成されているのが好ましい。
本態様によれば、引付具を前記ベルトよりも伸縮性の大きい素材で形成することにより、履物装着後にベルトが縮み、引付具の第１端部側の輪状の飛び出し部分が不必要に大きくなるのを抑制することができる。そのため、前記輪状の飛び出し部分が、遊具や自転車のペダルなど種々の外的要素に引っ掛かるのを防止することができる。
【０００９】
本発明において、前記ベルトは表面を形成する表部材と裏面を形成する裏部材とを更に備え、前記表部材が前記引付具における前記第１端部と前記第２端部との間の中間部の一部を覆っているのが好ましい。
本態様によれば、前記引付具が外部に剥き出しにならないので、該引付具が引っ掛かったり、邪魔になるおそれが少なくなる。
【００１０】
本発明において、前記表部材と裏部材とが互いに縫合されて前記表部材と裏部材との間で前記貫通孔が形成され、前記引付具は前記第２端部から前記第１開口、前記貫通孔、第２開口を通って前記第１端部に至るように配置されているのが好ましい。
本態様によれば、ベルトの表部材と裏部材とを互いに縫合することにより貫通孔を形成し、当該貫通孔に引付具を通すことで、引付具の大半の部分が外部に剥き出しになることがない上、体裁も良くなる。
【００１１】
本発明において、前記ベルトの自由端部と前記引付具との間に指を挿入するための指かけ孔が形成され易いように、前記引付具が前記自由端部から半月状に浮いた状態を形成する孔形成手段を更に備えているのが好ましい。
本態様によれば、かかる孔形成手段により、指かけ孔が形成されていると、ベルトと引付具との間に指を挿入し易くなる。
【実施例１】
【００１２】
以下、本発明の一実施例が図面にしたがって説明される。
なお、以下の説明では、履物の一例として幼児用の靴（スニーカー）を例示して説明する。
全体構成：
図１に示すように、本実施例の靴のアッパー１には、足の甲の第１側面を覆う第１側部１１と、足の甲の第２側面を覆う第２側部１２が一体に形成されている。前記両側部１１，１２の間には、舌片４が設けられている。
【００１３】
図２に示すように、前記第１側部１１の表面には、たとえば、鉤状の雄面ファスナからなる第１止具１０が固着されている。
【００１４】
図８に示すように、前記第２側部１２には、前記２つの側部１１，１２を足の甲にフィットさせるためのベルト２の一方の端部（固定端部）２２が固定されている。
図２に示すように、前記ベルト２の裏面には、たとえば、ループ状の雌面ファスナからなり前記第１止具１０に係合することでベルト２を第１側部１１に固定するための第２止具２０が形成されている。
前記ベルト２は、該ベルト２の前記固定端部２２とは反対側の自由端部２１の裏面を第１側部１１に固定することで、前記２つの側部１１，１２を足の甲にフィットさせる。
【００１５】
引付具３：
本靴は、ベルト２と第１側部１１とに結合された、帯状の引付具３を有している。
前記引付具３は、たとえば、平ゴムなどのベルト２よりも伸縮性が大きい素材、つまり、容易に伸び、かつ、元の状態に縮む素材で形成されている。
図２に示すように、前記引付具３の一方の端部（第１端部）３１は、前記自由端部２１に結合されている。引付具３の両端部３１，３２を除く中間部３３は、前記ベルト２における固定端部２２の近傍の第１開口２３において開口する貫通孔５０を通っている。前記第１開口２３の部位において前記引付具３は折り返され、引付具３の他方の端部（第２端部）３２において、前記第１側部１１に結合されている。
【００１６】
ベルト２：
図６の分解斜視図に示すように、前記ベルト２は、表部材５、裏部材２ａおよび補強部材２５を備えている。
前記ベルト２の固定端部２２側の近傍には、引付具３の中間部３３を通すための第１開口２３が形成されている。
【００１７】
図７に示すように、前記表部材５と裏部材２ａとは、糸Ｔにより互いに縫合されている。図７および図８に示すように、前記ベルト２の裏部材２ａと表部材５との間には、前記引付具３の中間部３３が挿通される貫通孔５０が形成されている。図７に示すように、表部材５の自由端部２１側には、前記貫通孔５０の幅方向Ｄに沿って縫合されていない第２開口２４が形成されている。
したがって、図８に示すように、前記引付具３は、裏部材２ａの第１開口２３からベルト２内に形成された貫通孔５０を通り、第２開口２４から外部に露出しており、該引付具３は、貫通孔５０内を移動可能に設けられている。
【００１８】
前記引付具３は、第１側部１１に結合された第２端部３２から、第１開口２３により折り返され、貫通孔５０、第２開口２４を通って、ベルト２の自由端部２１に結合された第１端部３１に至るように配置されている。
したがって、ベルト２の自由端部２１側と引付具３との隙間に生じた指かけ孔７に指を挿入して引っ張ると、第１開口２３を介して、貫通孔５０内に引付具３が引っ張られ、該第２端部３２が結合された第１側部１１が第２側部１２側に引き付けられる。
一方、前記指かけ孔７に指を挿入した状態で、ベルト２を第１側部１１に向って引っ張ると、該ベルト２によって第２側部１２が第１側部１１側に引き付けられる。
【００１９】
ここで、前記第１開口２３の位置は、図２に示す第２側部１２の上方端１２ｅの付近が好ましい。また、足の骨との関係における第１開口２３の位置は、足の外側でベルト２を止める場合、図１６Ａおよび図１６Ｂに示す内側楔状骨Ｂ５の上端Ｂ５ｅ近傍が好ましく、一方、足の内側でベルト２を止める場合、図１６Ａおよび図１６Ｃに示す第４中足骨Ｂ４の骨底Ｂ４ｂの近傍が好ましい。前記第１開口２３がベルト２の自由端部２１に近すぎると引付具３で第１側部１１を引っ張る力が作用しにくくなり、十分なフィット性が得られなくなる。一方、第１開口２３がベルト２の固定端部２２に近すぎると靴に足を挿入する際に両側部１１，１２間が開きにくくなるためである。
【００２０】
着用方法：
まず、図２および図３に示すように、ベルト２を開いた状態で靴に足を挿入する。
つぎに、図８に示す指かけ孔７に指を挿入し、引付具３を引っ張りながら、図４に示すように、第１側部１１に向ってベルト２を倒す。かかる動作によって、貫通孔５０を通って中間部３３が移動して、該引付具３の第２端部３２（図２）が第２側部１２側に引っ張られ、該第２端部３２が結合された第１側部１１が第２側部１２に向って引き付けられると共に、ベルト２によって第２側部１２が第１側部１１側に引き付けられる。したがって、両側部１１，１２が足の甲の両側面にそれぞれフィットする。
【００２１】
続いて、前記指かけ孔７に指を挿入したまま、図５に示すように、ベルト２を第１側部１１に密着させると、第１側部１１の第１止具１０（図４）とベルト２の第２止具２０とが係合し、ベルト２の自由端部２１が第１側部１１に固定される。
その後、指かけ孔７から指を抜くと、引付具３が縮み、該引付具３の指かけ孔７を構成する部分が、ベルト２の貫通孔５０内に向って移動することで、図１に示すように、前記指かけ孔７が適度に小さくなり、外部の障害物などに引っ掛かりにくくなる。
【００２２】
なお、左右の靴のベルト２が固定される第２側部１２は、歩行中に左右のベルト２が互いに接触するのを防止するためにそれぞれ両足の内側に形成してもよいが、両足の外側に形成してもよい。
また、左右の靴の前記第２側部１２を両足の同一方向に形成してもよい。たとえば、着用者の右手が不自由な場合には、左右の靴の第２側部１２をそれぞれ右側に設けてもよいし、着用者の左手が不自由な場合には、左右の靴の第２側部１２をそれぞれ左側に設けてもよい。
さらに、前述の実施例では、履物の一例として幼児用の運動靴（スニーカー）を例示したが、本発明の適用される履物としては、たとえば、大人用のスニーカーであってもよいし、紳士靴や婦人靴等の正装用や通勤用の靴であってもよいし、サンダル等であってもよい。また、引付具３を有するベルト２を２本以上設けてもよい。
【００２３】
また、第１止具１０をループ状の雌面ファスナとすると共に、第２止具２０を鉤状の雄面ファスナとしてもよい。
また、第１止具１０および第２止具２０は互いに係合し得るものであればよく、面ファスナの他に、たとえば、ボタンやホックなどであってもよい。
【００２４】
なお、履物の着用後、表部材５と裏部材２ａとの間の引付具３の中間部３３が第１開口２３側に向ってスムースに移動し、指かけ孔７が適度に小さくなるように、引付具３の表面は、ベルト２との摩擦が小さい素材で構成するのが好ましい。
また、引付具３は必ずしも伸縮性を有する部材で構成する必要はない。
また、引付具３は紐状であってもよい。また、引付具３は指を挿入する指かけ孔７に相当する部分を帯状に形成し、他の部分を紐状に形成してもよい。
【００２５】
さらに、貫通孔５０は、必ずしも表部材５と裏部材２ａとの間に形成する必要はなく、第２開口２４を設けないで、第１開口２３自体で貫通孔５０を形成し、引付具３の中間部３３をベルト２の表面に沿って配置するようにしてもよい。
【００２６】
変形例：
図９〜図１４は変形例を示す。
図９の変形例では、舌片４がアッパー１と一体に形成されている。
【００２７】
図１０Ａ〜図１０Ｃに示す変形例では、引付具３の中間部３３の折り返し部分の摩擦を少なくするために、第１開口２３に前記中間部３３が挿通されるＤ環６が設けられている。また、表部材５と中間部３３との摩擦を少なくするために、該表部材５にも別の開口が形成されている。
さらに、図１０Ａおよび図１０Ｂに示すように、表部材５と裏部材２ａとの間には、貫通孔５０のスペースを確保するために、引付具３の厚みに応じた厚さのスペーサ２５ａが設けられている。
【００２８】
したがって、本履物を装着すると、引付具３が第１側部１１側に向ってスムースに移動し、指かけ孔７の隙間を適度に小さくすることができるので、指かけ孔７が大きく突出して邪魔になるのを防止することもできる。
なお、前記Ｄ環６はローラ付きのＤ環を用いてもよい。該ローラ部分に引付具３の中間部３３が接触するようにすれば、よりスムースに引付具３の移動を行うことができる。
【００２９】
また、図１０Ｄおよび図１０Ｅに示すように、第２止具２０の第１開口２３の部分を平面「コ」字状にカットした後、折り返して互いに重ねると共に、該折り返し部分に樹脂コーティング２６を施してもよい。樹脂コーティング２６を施すことにより、第１開口２３の部分と引付具３との摩擦が小さくなるので、引付具３の中間部３３が第１開口２３をスムースに移動される。また、第１開口２３の強度も向上し、繰り返し使用によるベルト２の第１開口２３部分の損傷を防止することができる。
【００３０】
ここで、指かけ孔７となるベルト２の自由端部２１の近傍部分と引付具３との隙間が小さくなりすぎると、履物装着時に指かけ孔７に指を挿入しずらくなる。そのため、以下の変形例では、指かけ孔７となる前記隙間を邪魔にならない程度の大きさに確保している。  
【００３１】
図１１〜図１５は、指かけ孔７が形成され易いように、孔形成手段８を備えている。該孔形成手段８は、引付具３が自由端部２１から半月状に上方に膨らんだように浮いた状態を保持する。
【００３２】
図１１Ａの変形例では、引付具３の足先側Ｆよりも、踵側Ｂの後方部分３ａの方が膨らむように、引付具３をベルト２に結合している。すなわち、図１１Ｂに示すように、引付具３の第１端部３１を斜めにカットし、該斜めにカットされた第１端部３１をベルト２の幅方向Ｄと略平行になるように該第１端部３１をベルト２に結合している。そのため、引付具３の第１端部３１近傍は、足先側Ｆよりも、踵側Ｂの後方部分３ａの方が弛みが生じて上方に浮き上がり、着用時に指を挿入するための適度な膨らみ７が形成される。この例の場合、引付具３自体が孔形成手段８を構成する。
なお、前記膨らみ７は、外部の障害物などの外的要素に引っ掛かるのを防止するため、踵側Ｂが若干膨らむように設定するのが好ましい。
【００３３】
図１２Ａおよび図１２Ｂに示す変形例では、前記図１１の変形例に加えて、表部材５の自由端部２１側の端５１が斜めにカットされている。すなわち、図１２Ｂに示すように、表部材５の前記端５１は、該表部材５の幅方向Ｄにおいて、足先側Ｆの長さＬ３よりも踵側Ｂの長さＬ４の方が短くなるようにカットされている。
そのため、指かけ孔７となる浮き上がり部分の範囲が大きくなり装着時に指を入れ易くなる。
【００３４】
図１３の変形例では、引付具３の指かけ孔７に棒状のスペーサからなる形成手段８が挿入されている。
【００３５】
図１４の変形例では、表部材５の貫通孔５０の幅（幅方向Ｄの長さ）よりも幅広のストッパからなる孔形成手段８を引付具３に貼付することにより指かけ孔７が形成されている。
図１５の変形例では、引付具３の露出部分（孔形成手段）８を、表部材５の貫通孔５０の幅よりも幅広に形成することにより指かけ孔７が形成されている。
図１１〜図１５の例では、引付具３における露出部分の長さが、対応するベルト２の長さよりも長くなっており、これにより、引付具３で指かけ孔７が形成される。
【産業上の利用可能性】
【００３６】
本発明は履物の緊締構造に利用できる。
【図面の簡単な説明】
【００３７】
【図１】本発明の一実施例にかかる履物（靴）を示す概略斜視図である。
【図２】同靴の緊締前の構造を示す概略斜視図である。
【図３】同靴の緊締方法を示す概略斜視図である。
【図４】同靴の緊締方法を示す概略斜視図である。
【図５】同靴を緊締後の状態で示す概略斜視図である。
【図６】引付具およびベルトを示す分解斜視図である。
【図７】引付具およびベルトを示す概略平面図である。
【図８】同靴の緊締構造を示す一部破断した概略斜視図である。
【図９】変形例を示す靴の概略斜視図である。
【図１０】図１０Ａは変形例を示す引付具、ベルトおよび引付具の概略平面図、図１０Ｂは図１０ＡにおけるＸＢ−ＸＢ線概略端面図、図１０Ｃは図１０ＡにおけるＸＣ−ＸＣ線概略端面図、図１０Ｄは別の変形例を示すベルトおよび引付具の概略平面図、図１０Ｅは図１０ＤにおけるＸＥ−ＸＥ線概略端面図である。
【図１１】変形例を示す靴の概略斜視図および引付具の平面図である。
【図１２】変形例を示す靴の概略斜視図および表部材の平面図である。
【図１３】変形例を示す靴の概略斜視図である。
【図１４】変形例を示す靴の概略斜視図である。
【図１５】変形例を示す靴の概略斜視図である。
【図１６】足の骨の位置を示す概略平面図および概略側面図である。
【符号の説明】
【００３８】
２：ベルト
２ａ：裏部材
３：引付具
５：表部材
８：孔形成手段
１０：第１止具
１１：第１側部
１２：第２側部
１２ｅ：上方端
２０：第２止具
２１：自由端部
２２：固定端部
２３：第１開口
３１：第１端部
３２：第２端部
３３：中間部
５０：貫通孔
【図１】
2008295489.tif 000003
【図２】
2008295489.tif 000004
【図３】
2008295489.tif 000005
【図４】
2008295489.tif 000006
【図５】
2008295489.tif 000007
【図６】
2008295489.tif 000008
【図７】
2008295489.tif 000009
【図８】
2008295489.tif 000010
【図９】
2008295489.tif 000011
【図１０】
2008295489.tif 000012
【図１１】
2008295489.tif 000013
【図１２】
2008295489.tif 000014
【図１３】
2008295489.tif 000015
【図１４】
2008295489.tif 000016
【図１５】
2008295489.tif 000017
【図１６】
2008295489.tif 000018